(57)【要約】【課題】受信側がｓＹＣＣ色空間とＣＩＥＬＡＢ色空間の両方に対応できる場合に、受信側でプリントさせるか否かに応じ、送信側よりプリントに適したカラー方式か、そうでないカラー方式を選択できる。【解決手段】ファクシミリ装置の送信側は、受信側のファクシミリ装置に発呼し（ＳＴ３）、ＤＩＳ信号を受信すると（ＳＴ５）、受信側がカラー受信能力が有り（ＳＴ７）、かつ色空間は両方対応可能か判定する（ＳＴ８）。受信側が両方対応可能な場合に、受信側でプリントさせる場合（ＳＴ１０）には、ｓＹＣＣからＣＩＥＬＡＢに色空間変換して、データを送出する（ＳＴ１１）。一方、受信側でＣＩＥＬＡＢに対応できないか（ＳＴ９）、受信側でプリントさせる場合でない場合（ＳＴ１０）には、ｓＹＣＣ色空間のまま、データを送信する。【選択図】      図２
2004187259.tif 000002
【特許請求の範囲】
【請求項１】
カラー方式として第１と第２の方式が可能であって、送信しようとするカラー方式が第１の方式であり、受信側が第１、第２の両方の色空間に対応している場合であり、受信側で印刷を希望する場合は、第１の方式を選択して送信し、受信側で印刷を希望しない場合は、第２の方式を選択し送信するようにしたことを特徴とするカラー画像通信装置。
【請求項２】
前記第１の方式がＣＩＥＬＡＢカラー方式であり、前記第２の方式がｓＹＣＣカラー方式を選択することを特徴とする請求項１記載のカラー画像通信装置。
【請求項３】
前記第１の方式が印字に適した方式であることを特徴とする請求項１又は請求項２記載のカラー画像通信装置。
【請求項４】
前記第１の方式の選択もしくは第２の方式の選択送信は、通信手順信号を使用して行うことを特徴とする請求項１、請求項２又は請求項３記載のカラー画像通信装置。
【請求項５】
前記第１の方式の選択もしくは第２の方式の選択送信は、受信側の装置に複数の宛先番号が与えられる場合に、この宛先番号を使用することを特徴とする請求項１、請求項２又は請求項３記載のカラー画像通信装置。
【請求項６】
前記第１の方式の選択もしくは第２の方式の選択送信は、受信装置の宛先番号を付加したものを使用することを特徴とする請求項１、請求項２又は請求項３記載のカラー画像通信装置。
【請求項７】
前記第１の方式の選択もしくは第２の方式の選択送信は、受信装置の１回線に接続される複数装置の各ダイヤル番号を使用することを特徴とする請求項１、請求項２又は請求項３記載のカラー画像通信装置。
【発明の詳細な説明】
【０００１】
【発明の属する技術分野】
この発明は、ＣＩＥＬＡＢカラー方式とｓ（スタンダード）ＹＣＣカラー方式に対応可能なファクシミリ装置、複合機等のカラー画像通信装置に関する。
【０００２】
【従来の技術】
最近、新しいカラーＦＡＸのプロトコルの提案が国際レベルで審議されている。その対象は、ＣＩＥＬＡＢ色空間を持つカラー方式と、ｓＹＣＣ色空間を持つカラー方式である。この種のｓＹＣＣカラー方式、ＣＩＥＬＡＢカラー方式を採用したカラーファクシミリ装置がいくらか提案されている（例えば、特許文献１参照）。
【０００３】
【特許文献１】
特開２００２−２１８１４８号公報
【０００４】
【発明が解決しようとする課題】
ファクシミリ装置の送信側で、送ろうとしたカラーデータがｓＹＣＣであり、ファクシミリ装置の受信側がｓＹＣＣとＣＩＥＬＡＢの両方の色空間に対応できる場合を想定すると、受信側では自機で印刷するか否かに応じ、印刷を行う場合に、送信側から印刷に適した色空間のカラーデータが送信され、印刷を行わない場合には、印刷に適する以外の色空間のカラーデータが送信されて来れば、取り扱い上、便利である。
【０００５】
この発明は上記問題点に着目してなされたものであって、ファクシミリ装置の受信側が、例えばｓＹＣＣ色空間とＣＩＥＬＡＢ色空間の両方に対応できる場合に、受信側でプリントさせるか否かに応じ、両空間のうち、適正なカラー方式を選択して送信し得るカラー画像通信装置を提供することを目的としている。
【０００６】
【課題を解決するための手段】
この発明のカラー画像通信装置は、カラー方式として第１と第２の方式が可能であって、送信しようとするカラー方式が第１の方式であり、受信側が第１、第２の両方の色空間に対応している場合であり、受信側で印刷を希望する場合は、第１の方式を選択して送信し、受信側で印刷を希望しない場合は、第２の方式を選択し送信するようにしている。
【０００７】
この発明のカラー画像通信装置において、前記第１の方式がＣＩＥＬＡＢカラー方式であり、前記第２の方式がｓＹＣＣカラー方式を選択する。
【０００８】
また、この発明のカラー画像通信装置において、第１の方式は受信側で印刷を希望する場合に選択されて送信されるので、印字に適した方式であれば良い。
【０００９】
また、この発明のカラー画像通信装置において、前記第１の方式の選択もしくは第２の方式の選択送信は、通信手順信号を使用して行うことができる。ここで言う通信手順信号は、例えばＳＵＢ（サブアドレス）信号である。
【００１０】
また、この発明のカラー画像通信装置において、前記第１の方式の選択もしくは第２の方式の選択送信は、受信側の装置に複数の宛先番号が与えられる場合に、この宛先番号を使用することができる。
【００１１】
また、この発明のカラー画像通信装置において、前記第１の方式の選択もしくは第２の方式の選択送信は、受信装置の宛先番号を付加したものを使用することができる。
【００１２】
また、この発明のカラー画像通信装置において、前記第１の方式の選択もしくは第２の方式の選択送信は、受信装置の１回線に接続される複数装置の各ダイヤル番号を使用することができる。
【００１３】
【発明の実施の形態】
以下、実施の形態により、この発明を更に詳細に説明する。図１に、この発明の実施形態カラー画像通信装置全体の概略構成を示すブロック図を示す。
【００１４】
この実施形態カラー画像通信装置は、ファクシミリ機能とコピー機能とを備えたいわゆるカラー複合機として構成したもので、主制御部１と、ＮＣＵ（網制御回路：Ｎｅｔｗｏｒｋ  Ｃｏｎｔｒｏｌ  Ｕｎｉｔ）２と、ＭＯＤＥＭ３と、ＲＯＭ４と、ＲＡＭ５と、画像メモリ６と、表示部７と、操作部８と、画像読取部９と、画像記録部１０と、ＣＯＤＥＣ（符号化・復号器：Ｃｏｄｅｒ  ａｎｄ  Ｄｅｃｏｄｅｒ  ）１１と、ＬＡＮＩ／Ｆ１２と、バス１３とを備える。
【００１５】
主制御部（ＣＰＵ）１は、この装置を構成する各部を制御する機能を有する。
ＮＣＵ２は、通信回線である電話回線網（ＰＳＴＮ）１４との接続を制御すると共に、相手先の電話番号（ＦＡＸ番号を含む）に対応したダイヤル信号を送出する機能及び着信を検出するための機能を備えている。ＭＯＤＥＭ３は、ＩＴＵ（国際電気通信連合）−Ｔ勧告Ｔ．３０、Ｔ．４に従ったファクシミリ伝送制御手順に基づいて、Ｖ．１７、Ｖ．２７ｔｅｒ、Ｖ．２９等に従った送信データの変調及び受信データの復調を行う。或いは、これらに加えてＶ．３４に従った送信データの変調及び受信データの復調を行う。
【００１６】
ＲＯＭ４は、この装置を制御するためのプログラムを記憶する。ＲＡＭ５は、データ等を一時的に記憶する。このＲＡＭ５には、ＣＩＥＬＡＢ画像データ、ｓＹＣＣ画像データ記憶用に割り当てられる記憶部を備えている。
【００１７】
画像メモリ６は、受信画像データや画像読取部９で読み取った画像データを一時的に記憶する。表示部（ＬＣＤ）７は、アイコン、キーボタンの表示や、データの送受信に必要なメッセージ内容等を表示する。操作部８はワンタッチキー、登録キー、ＦＡＸモード・コピーモード・スキャナモード等の複数の動作モードについてのモード切り替えを行うための動作モード切替キー、テンキー、スタートキー、その他のキーを有する。画像読取部９は、ＦＡＸ送信するときにあるいはコピーするときに、原稿の画像データを光学的に走査して読み取る。この画像読取部９は、カラー画像の読み取りも可能である。
【００１８】
画像記録部１０は、電子写真方式のプリンタよりなり、受信画像データやコピー動作において画像読取部９で読み取った原稿の画像データを記録紙上に記録する。この画像記憶部１０は、カラープリントも可能である。ＣＯＤＥＣ１１は、読み取った画像データを送信又は記憶するためにＭＨ、ＭＲ、ＭＭＲ方式等により符号化（エンコード）し、受信画像データを記録するために復号（デコード）する。ＬＡＮＩ／Ｆ１２は、ＰＣ（パーソナルコンピュータ）その他のＬＡＮ１５（ローカルエリアネットワーク）を構成する外部機器と接続され、ここを介して外部機器とのデータ授受を行う。外部ＰＣからｓＹＣＣ画像データの転送の要求を受けると、ＲＡＭ５の記憶部よりｓＹＣＣ画像データを読み出し、そのｓＹＣＣ画像データをＬＡＮＩ／Ｆ１２、ＬＡＮ１５を介して、外部ＰＣに転送する。
【００１９】
次に、図２に示すフロー図を参照して、この実施形態カラー複合機の送信処理動作を説明する。先ず、ステップＳＴ１においては、受信側でプリントさせるか否か判定する。受信側でプリントさせるか否かについては、予めセットしておくか、ユーザがキー操作等で選択できるようにしたものでも良い。受信側でプリントさせる場合は、ステップＳＴ２へ移行する。一方、受信側でのプリントを予定しない場合は、ステップＳＴ２をスキップして、ステップＳＴ３へ移行する。ステップＳＴ３においては、ＲＸ（受信）プリントフラグをセットする。次に、ステップＳＴ３へ移行する。
【００２０】
ステップＳＴ３においては、受信側に向けて発呼を行う。そして、ステップＳＴ４へ移行する。ステップＳＴ４では、ＣＮＧ（コーリングトーン）信号を発する。次に、ステップＳＴ５へ移行する。ステップＳＴ５においては、受信側からのＤＩＳ信号（デジタル識別信号）を受信したか否か判定する。ＤＩＳ信号を受信していない場合は、ステップＳＴ６へ移行する。一方、ＤＩＳ信号を受信した場合は、ステップＳＴ７へ移行する。ステップＳＴ６においては、Ｔ１タイマ（発呼時にセット）がタイムアップしたか否か判定する。タイムアップしていない場合は、ステップＳＴ４へ戻り、その後、タイムアップするか、ＤＩＳ受信するまでＣＮＧ送出及びステップＳＴ５、ＳＴ６の処理を繰り返す。Ｔ１タイマがタイムアップすると、再びダイヤルを行う。
【００２１】
ステップＳＴ７においては、受信側にカラー受信能力が有りか否か判定する。
受信側にカラー受信能力がない場合は、ステップＳＴ１２へ移行する。一方、カラー受信能力がある場合には、ステップＳＴ８へ移行する。ステップＳＴ１２においては、回線を断し、処理を終了する。ステップＳＴ８において、受信側でｓＹＣＣ色空間とＣＩＥＬＡＢ色空間の両方の受信が可能であるか否か判定する。受信側で両色空間の受信が可能である場合に、ステップＳＴ１０へ移行する。一方、両色空間の対応が可能でない場合は、ステップＳＴ９へ移行する。
【００２２】
ステップＳＴ９においては、受信側において、両色空間のうち、ＣＩＥＬＡＢ色空間について対応可能か否か判定する。ＣＩＥＬＡＢ方式で対応可能な場合は、ステップＳＴ１０へ移行する。一方、ＣＩＥＬＡＢ方式で対応できない場合は、ステップＳＴ１３へ移行する。ステップＳＴ１０においては、ＲＸプリントフラグが「１」か否か、つまりセットされているか否か判定する。ＲＸプリントフラグがセットされている場合は、ステップＳＴ１１へ移行する。一方、セットされていない場合は、ステップＳＴ１３へ移行する。
【００２３】
ステップＳＴ１１においては、ステップＳＴ１０において、ＲＸプリントフラグがセットされており、受信側でプリントさせることを確認しているので、ｓＹＣＣからＣＩＥＬＡＢに色空間変換をしてデータを送出する。ＣＩＥＬＡＢ色空間で、データを送出することにより、これを受けた受信側では、プリントをそのままＣＩＥＬＡＢでプリントすることができる。また、ステップＳＴ１３においては、ステップＳＴ９でＣＩＥＬＡＢ方式に対応していないか、あるいはステップＳＴ１０でプリントフラグ「１」でない場合、つまり受信側でプリントさせない場合のいずれの場合でも、ｓＹＣＣ色空間のまま、画像データを送出する。
【００２４】
次に、この発明の他の実施形態について説明する。図３は、この発明が実施される通信システムの構成を示すブロック図である。ここでは、複合機２０からカラー画像を公衆回線２５、交換機２１を介して、複合機２２等に送信し、複合機２２でカラー画像をプリントし、あるいはカラー画像をＬＡＮ２６を介してＰＣ２４へ転送させる場合を想定している。
【００２５】
最も簡単な処理方法としては、複合機２２でプリントさせたい場合と、ＰＣ２４で転送したい場合を、複合機２０で選択設定可能としておき、複合機２２でプリントさせない場合Ａを選択操作すると、ＣＩＥＬＡＢ画像データを送信する。複合機２２でＰＣ転送させたい場合Ｂを選択操作すると、ｓＹＣＣ−ＪＰＥＧ画像データを送信する。
【００２６】
他の処理方法として、複合機２２に備える記憶Ｂｏｘにプリント機能、ＰＣ転送機能を記憶しておき、一方、複合機２０からは通称Ｆ−ＣＯＤＥと呼ぶ信号で送信機から出すＤＣＳ信号とともにＳＵＢ（サブアドレス：内容２０桁の数字）、ＰＷＤ（パスワード：内容２０桁の数字）信号（通信手順信号）を送信し、これにより、複合機２２の各Ｂｏｘを指定すると良い。
【００２７】
この場合の送信機である複合機２０では、図４に示すように、ステップＳＴ２１において、受信側でプリントさせるのか、ＰＣ転送させるのか判定する。受信側でプリントさせる場合には、ステップＳＴ３１へ移行する。一方、受信側でＰＣ転送させる場合は、ステップＳＴ２２へ移行する。ステップＳＴ２２においては、受信側に向けて発呼を行う。次に、ステップＳＴ２３へ移行する。ステップＳＴ２３においては、被呼装置の標準能力を示す信号であるディジタル識別信号ＤＩＳを受信する。続いて、ステップＳＴ２４へ移行する。
【００２８】
ステップＳＴ２４においては、サブアドレス信号ＳＵＢ（０、……、０、１）、パスワードＰＷＤ（……）、ＤＣＳ及びトレーニング送信を行う。ここで、サブアドレス信号ＳＵＢの０、……、０、１は、複合機２２のＢｏｘ（０、……、０、１）に対応し、ＰＣ転送機能を指定する。続いて、ステップＳＴ２５へ移行する。ステップＳＴ２５においては、受信準備確認信号ＣＦＲを受信する。続いて、ステップＳＴ２６へ移行する。ステップＳＴ２６においては、ＰＣ転送に適するｓＹＣＣ−ＪＰＥＧデータを送信する。その後は、ステップＳＴ２７へ移行し、手順終了信号ＥＯＰを送信する。続いて、ステップＳＴ２８へ移行し、メッセージ確認信号ＭＣＦを受信する。次に、ステップＳＴ２９へ移行し、切断命令ＤＣＮを送信し、ステップＳＴ３０において、回線を断する。
【００２９】
ステップＳＴ３１においては、ステップＳＴ２２と同様、受信側に向けて発呼を行う。次に、ステップＳＴ３２において、ディジタル識別信号ＤＩＳを受信して、ステップＳＴ３３へ移行する。ステップＳＴ３３においては、サブアドレスＳＵＢ（０、……、０、２）、パスワードＰＷＤ（……）、ＤＣＳ及びトレーニング送信を行う。ここで、サブアドレス信号ＳＵＢの０、……、０、２は、複合機２２のＢｏｘ（０、……、０、２）に対応し、プリント機能を指定する。続いて、ステップＳＴ３４へ移行する。ステップＳＴ３４においては、受信準備確認信号ＣＦＲを受信する。次に、ステップＳＴ３５へ移行する。ステップＳＴ３５においては、ＣＩＥＬＡＢ画像データを送信する。そして、ステップＳＴ２７へ移行する。ステップＳＴ２７以降は、上述した通りである。
【００３０】
次に、他の処理方法として、複合機２２に２つのファクシミリ番号を与えている場合において、受信側でＰＣ転送させたい場合は、一方の番号１２３が発呼され、受信側でプリントさせたい場合に、他方の番号１２４を発呼する。
【００３１】
この場合の送信機である複合機２０では、図５に示すように、ステップＳＴ４１において、発呼先選択の操作入力を行う。次に、ステップＳＴ４２へ移行する。ステップＳＴ４２においては、操作入力された番号を、複合機２０のＲＡＭ５に設けられたテーブルをサーチする。テーブルは、図６に示すように、宛先、ＰＣ転送／プリント、種別コードを記憶している。例えば、操作入力されたファクシミリ番号が１２３の場合には、処理内容がＰＣ転送であり、種別ＰＣが読み出される。次に、ステップＳＴ４３へ移行する。
【００３２】
ステップＳＴ４３では、読み出された種別がＰＣかあるいはＰＲか判定する。
種別がＰＣの場合は、ステップＳＴ４４へ移行する。一方、種別がＰＲの場合は、ステップＳＴ４５へ移行する。ステップＳＴ４４においては、ファクシミリ番号１２３を発呼する。また、ステップＳＴ４５においては、ファクシミリ番号１２４を発呼する。ステップＳＴ４４の次には、図４に示すステップＳＴ２３へ移行し、ステップＳＴ４５の次には、図４のステップＳＴ３２へ移行する。そして以降は、図４で説明した処理に準じた処理を実行する。
【００３３】
複合機２２では、ファクシミリ番号１２３への発呼による送信データを受けると、ＰＣ転送を行い、ファクシミリ番号１２４への発呼による送信データを受けると、自装置でプリント処理を行う。
【００３４】
更に、他の処理方法として、受信側でＰＣ転送させたい場合と、プリントさせたい場合の区別を、宛先のファクシミリ番号に拡張子を付して、データ送信するようにしても良い。
【００３５】
この場合、送信側である複合機２０では、図７に示すように、ステップＳＴ５１において、ＰＣ転送させたいか、プリントさせたいかに応じて、対応する拡張子を選択するため、宛先をスピード（ワンタッチキー操作）入力する。次に、ステップＳＴ５２へ移行する。ステップＳＴ５２においては、操作されたスピード入力により、複合機２０のＲＡＭ５に設けられたテーブルをサーチする。ここで使用するテーブルは、図８に示すように、スピード入力番号、宛先（ファクシミリ番号）、拡張子、種別コードを記憶している。例えば、スピード入力番号１には、対応して宛先２０００、拡張子＃１２３、種別ＰＣが記憶されており、スピード入力番号１の入力に対し、これらが読み出される。次に、ステップＳＴ５３へ移行する。ステップＳＴ５３においては、拡張子番号を送出する。次に、ステップＳＴ５４へ移行する。
【００３６】
ステップＳＴ５４では、読み出された種別がＰＣか、あるいはＰＲか判定する。種別がＰＣの場合は、図４のステップＳＴ２３へ移行する。一方、種別がＰＲの場合は、ステップＳＴ３２へ移行する。そして、以降は図４で説明した処理に準じた処理を実行する。
【００３７】
受信側の複合機２２では、拡張子＃１２３による送信データを受けると、ＰＣ転送を行い、他の拡張子＃１２４による送信データを受けると、自装置でプリント処理を実行する。
【００３８】
更に、他の処理例として、受信側でＰＣ転送させたい場合は、例えば図３に示すシステムにおいて、複合機２２へのダイヤルインを行い、受信側でプリントさせたい場合には、同一回線２５に複合機２２と並設されるファクシミリ装置２３へダイヤルインするようにしても良い。
【００３９】
この場合、送信側である複合機２０では、図９に示すように、ステップＳＴ６１において、宛先を選択する。つまり、受信側でＰＣ転送させたい場合は、宛先として複合機２２を選択する。また、受信側でプリントさせたい場合は、ファクシミリ装置２３を選択する。これらは、ワンタッチキーの操作により行う。次に、ステップＳＴ６２へ移行する。ステップＳＴ６２においては、選択された宛先にダイヤルを送出する。ここでは、複合機２０のＲＡＭ５に、図１０に示すテーブルが備えられており、ワンタッチキー番号、宛先番号、種別コードが格納されている。例えば、宛先選択で、ワンタッチキー１が操作されていると、宛先番号２０００１がダイヤル送出される。次に、ステップＳＴ６３へ移行する。
【００４０】
ステップＳＴ６３においては、選択された宛先の機能種別がＰＣか、あるいはＰＲか判定する。種別がＰＣの場合は、図４のステップＳＴ２３へ移行する。一方、種別がＰＲの場合は、図４のステップＳＴ３２へ移行する。そして、以降は図４で説明した処理に準じた処理を実行する。
【００４１】
複合機２２では、自機を宛先とする送信データを受けると、ＰＣ転送を行う。
また、ファクシミリ装置２３では、自機を宛先とする送信データをプリント処理する。
【００４２】
上記複合機２０において、画像読取部９において、カラー原稿のスキャンにより、カラー原稿を読み取ることができる。このカラー画像は、ＣＩＥＬＡＢで画像メモリ６に記憶される。また、デジカメのカラー画像もＵＳＢを通して取り込まれる。このカラー画像は、ｓＹＣＣ−ＪＰＥＧで、画像メモリ６の他の領域に記憶される。
【００４３】
この複合機において、原稿スキャン時の処理は、図１１に示すように、ステップＳＴ７１において、スキャンかの判定がＹＥＳであると、ステップＳＴ７２へ移行する。ステップＳＴ７２においては、スキャンして得られたカラー画像データをＣＩＥＬＡＢで、画像メモリ６に記憶する。次に、ステップＳＴ７３へ移行する。
【００４４】
ステップＳＴ７３においては、ＰＣ転送要求が有りか否か判定する。ＰＣ要求がなければ、リターンする。一方、ＰＣ要求が有れば、ステップＳＴ７４へ移行する。ステップＳＴ７４においては、画像メモリ６に記憶したカラー画像データをＣＩＥＬＡＢからｓＹＣＣ−ＪＰＥＧに変換する。
【００４５】
上記した受信側の複合機２２では、ＰＣ転送用として受信したｓＹＣＣ−ＪＰＥＧカラー画像を記憶する。第１のメモリ（記憶領域）と、プリント用として受信したＣＩＥＬＡＢカラー画像を記憶する。第２のメモリ（記憶領域）とを備えている。この複合機２２にデータを受信した場合の処理の一例を図１２に示すフロー図を参照して説明する。
【００４６】
この処理ルーチンに入ると、ステップＳＴ８１において、カラーデータ受信か否かを判定する。カラーデータ受信の場合は、ステップＳＴ８２へ移行する。ステップＳＴ８２においては、カラー画像データを画像メモリ６に記憶する。次に、ステップＳＴ８３へ移行する。ステップＳＴ８３においては、ｓＹＣＣ−ＪＰＥＧデータをプリント用として受信し、第２のメモリに記憶したか否かを判定する。ｓＹＣＣ−ＪＰＥＧデータは、通常ＰＣ転送用として受信し、第１のメモリに記憶する。しかし、誤ってプリント用として受信した場合には、ステップＳＴ８４へ移行する。一方、ｓＹＣＣ−ＪＰＥＧデータをＰＣ転送用として記憶するか、ＣＩＥＬＡＢデータを受信した場合は、ステップＳＴ８８へ移行する。
【００４７】
ステップＳＴ８４においては、表示部に“ｓＹＣＣ−ＪＰＥＧデータはプリント用として受信しました。プリントしますか”を表示する。次に、ステップＳＴ８５へ移行する。ステップＳＴ８５においては、プリントするとの入力有りか否か判定する。オペレータが表示部の表示を見て、操作部のプリントするの入力を行うと、ステップＳＴ８６へ移行する。一方、表示後一定時間内にプリントするの入力無しの場合は、ステップＳＴ８７へ移行する。ステップＳＴ８６においては、受信したｓＹＣＣ−ＪＰＥＧデータをプリントする。また、ステップＳＴ８７においては、表示部に“ＰＣ転送先を入れて下さい”の表示を行う。ＰＣ転送先が入力されると、ステップＳＴ９２へ移行する。ステップＳＴ９２においては、受信し、第１のメモリに記憶してあるｓＹＣＣ−ＪＰＥＧデータをＰＣへ転送する。
【００４８】
ステップＳＴ８８においては、ＣＩＥＬＡＢデータをＰＣ転送用として受信したか否かを判定する。ＣＩＥＬＡＢデータは、プリント用として受信し、第２のメモリに記憶する。しかし、誤ってＰＣ転送用として受信した場合には、ステップＳＴ８９へ移行する。一方、プリント用として受信している場合には、リターンする。ステップＳＴ８９においては、表示部に“ＣＩＥＬＡＢデータは、ＰＣ転送用として受信しました。ＰＣ転送しますか”の表示を行う。続いて、ステップＳＴ９０へ移行する。
【００４９】
ステップＳＴ９０においては、ＰＣ転送する入力有りかの判定を行う。オペレータが表示部の表示を見て、操作部でＰＣ転送するの入力を行うと、ステップＳＴ９１へ移行する。一方、表示後、一定期間内にＰＣ転送するとの入力が無いと、ステップＳＴ８６へ移行する。ステップＳＴ８６においては、ＣＩＥＬＡＢデータをプリントする。また、ステップＳＴ９１においては、受信したＣＩＥＬＡＢデータをｓＹＣＣ−ＪＰＥＧデータに変換する。次に、ステップＳＴ９２へ移行し、変換されたｓＹＣＣ−ＪＰＥＧデータをＰＣ転送する。
【００５０】
【発明の効果】
この発明によれば、カラー方式として第１と第２の方式が可能であって、送信しようとするカラー方式が第１の方式であり、受信側が第１、第２の両方の色空間に対応している場合であり、受信側で印刷を希望する場合は、第１の方式を選択して送信し、受信側で印刷を希望しない場合は、第２の方式を選択し送信するようにしているので、送信側が送ろうとしたカラーデータがｓＹＣＣである場合で受信側がｓＹＣＣ、ＣＩＥＬＡＢの両方の色空間に対応できる場合には、受信側で印刷を希望する場合には、印刷に適したＣＩＥＬＡＢカラーを選択でき、受信側で印刷を希望しない場合は、そのままｓＹＣＣカラー方式を選択すれば良い。
【図面の簡単な説明】
【図１】この発明の一実施形態であるカラー複合機の構成を示すブロック図である。
【図２】同実施形態カラー複合機の送信処理を説明するためのフロー図である。
【図３】この発明が実施される通信システムの構成を示すブロック図である。
【図４】同通信システムの送信側複合機の送信処理の一例を説明するためのフロー図である。
【図５】同通信システムの送信側複合機の送信処理の他の例を説明するためのフロー図である。
【図６】図５のフロー図の説明で使用するテーブルを示す図である。
【図７】上記通信システムの送信側複合機の送信処理の更に他の例を説明するためのフロー図である。
【図８】図７のフロー図の説明で使用するテーブルを示す図である。
【図９】上記通信システムの送信側複合機の送信処理の更に他の例を説明するためのフロー図である。
【図１０】図９のフロー図の説明で使用するテーブルを示す図である。
【図１１】上記通信システムの送信側複合機のスキャン処理を説明するためのフロー図である。
【図１２】上記通信システムの受信側複合機の受信処理を説明するためのフロー図である。
【符号の説明】
１        主制御部（ＣＰＵ）
２        ＮＣＵ
３        ＭＯＤＥＭ
４        ＲＯＭ
５        ＲＡＭ
６        画像メモリ
７        表示部
８        操作部
９        画像読取部
１０      画像記録部
１１      ＣＯＤＥＣ
１２      ＬＡＮＩ／Ｆ
１３      バス
１４      電話回線
１５      ＬＡＮ
【図１】
2004187259.tif 000003
【図２】
2004187259.tif 000004
【図３】
2004187259.tif 000005
【図４】
2004187259.tif 000006
【図５】
2004187259.tif 000007
【図６】
2004187259.tif 000008
【図７】
2004187259.tif 000009
【図８】
2004187259.tif 000010
【図９】
2004187259.tif 000011
【図１０】
2004187259.tif 000012
【図１１】
2004187259.tif 000013
【図１２】
2004187259.tif 000014